【手続補正書】
【提出日】平成19年12月6日(2007.12.6)
【手続補正１】
【補正対象書類名】明細書
【補正対象項目名】特許請求の範囲
【補正方法】変更
【補正の内容】
【特許請求の範囲】
【請求項１】  ベースプレート（４）と、
前記ベースプレートと組み合わされるボディ（６）とを、
互いに対して流体シールされ、それぞれ少なくとも一つの入口（１）及び一つの出口（２）を有するフローセルの配列を形成するための凹み（３）の配列が前記ベースプレートと前記ボディとの間に形成されるような形式で含み、
そこで各フローセルの少なくとも一つの出口（２）が、前記フローセルと流体接続された液溜め（５）と結合され、液溜めが、フローセルを流出する液体を受けるように働くことができ、そこで前記液溜めがベースプレートと組み合わされるボディの外壁の凹みとして形成されている、
一次元又は二次元に配列された試料区画の配置構成。
【請求項２】  形成されるフローセルの配列のピッチ（行及び／又は列としての幾何学的配置構成）を有する三次元構造がベースプレート（４）上に形成されている、請求項１記載の配置構成。
【請求項３】  ベースプレート（４）とそれと組み合わされるボディ（６）との間に凹み（３）を形成するため、凹み（３）がベースプレート（４）に形成されている、請求項１又は２記載の配置構成。
【請求項４】  ベースプレート（４）とそれと組み合わされるボディ（６）との間に凹み（３）を形成するため、凹み（３）がボディ（６）に形成されている、請求項１〜３のいずれか記載の配置構成。
【請求項５】  ベースプレート（４）と組み合わされるボディ（６）がいくつかの部品から形成され、前記ボディの組み合わされた部品が好ましくは不可逆的に組み合わされたユニットを形成する、請求項１〜４のいずれか記載の配置構成。
【請求項６】  ２〜２０００個、好ましくは２〜４００個、もっとも好ましくは２〜１００個のフローセルを含む、請求項１〜５のいずれか記載の配置構成。
【請求項７】  フローセルの入口（１，９）のピッチ（行及び／又は列としての幾何学的配置構成）が標準マイクロタイタプレートのウェルのピッチ（幾何学的配置構成）に合致する、請求項１〜６のいずれか記載の配置構成。
【請求項８】  たとえば１列に２〜８個の試料区画又はたとえば１行に２〜１２個の試料区画があり、試料区画そのものが、フローセルの入口（１，９）のピッチ（行及び／又は列としての幾何学的配置構成）が標準マイクロタイタプレートのウェルのピッチ（幾何学的配置構成）に合致するような方法で、標準マイクロタイタプレートの寸法を有するキャリヤ（８）（「メタキャリヤ」）と組み合わされている、請求項１〜７のいずれか記載の配置構成。
【請求項９】  試料区画の前記配置構成が、さらなるカバートップ、たとえばフィルム、膜又はカバープレートで閉じられている、請求項１〜８のいずれか記載の配置構成。
【請求項１０】  各フローセルの容積が０．１μl〜１０００μl、好ましくは１μl〜２０μlである、請求項１〜９のいずれか記載の配置構成。
【請求項１１】  フローセルに流体接続された液溜め（５）の容量が、フローセルの容積よりも大きく、好ましくは少なくとも５倍の大きさである、請求項１〜１０のいずれか記載の配置構成。
【請求項１２】  ベースプレート（４）と前記ベースプレートと組み合わされるボディ（６）との間の凹み（３）の深さが１〜１０００μm、好ましくは２０〜２００μmである、請求項１〜１１のいずれか記載の配置構成。
【請求項１３】  ベースプレート（４）と前記ベースプレートと組み合わされるボディ（６）との間の凹み（３）のベース面積が０．１mm2〜２００mm2、好ましくは１mm2〜１００mm2であり、配列の凹み（３）の大きさが均一であることもできるし多様であることもでき、ベース区域がいかなる幾何学形状、好ましくは矩形若しくは多角形又は他の幾何学形状を有することができる、請求項１〜１２のいずれか記載の配置構成。
【請求項１４】  ベースプレート（４）、前記ベースプレートと組み合わされるボディ（６）及び請求項１９記載のさらなるカバートップの材料が、成形性、金型成形性若しくはロール練り性を有するプラスチック、金属、ケイ酸塩、たとえばガラス、石英又はセラミックスの群から選択される、請求項１〜１３のいずれか記載の配置構成。
【請求項１５】  １種以上の分析対象物の測定のための生物学的若しくは生化学的又は合成的な認識要素がベースプレートに固定化されている、請求項１〜１４のいずれか記載の配置構成。
【請求項１６】  生物学的若しくは生化学的又は合成的な認識要素の固定化のために、付着促進層（ｆ）（図IV）がベースプレートに被着されている、請求項１〜１５のいずれか記載の配置構成。
【請求項１７】  付着促進層（ｆ）が厚さ２００nm未満、好ましくは２０nm未満である、請求項１６記載の配置構成。
【請求項１８】  付着促進層（ｆ）が、シラン、エポキシド、「自己組織化官能化単分子層」、官能化ポリマー及びポリマーゲルの群からの化合物を含む、請求項１６又は１７記載の配置構成。
【請求項１９】  生物学的若しくは生化学的又は合成的な認識要素が別個の計測区域（ｄ）に固定化され、これらの計測区域が、前記生物学的若しくは生化学的又は合成的な認識要素をベースプレート（４）に空間選択的に被着させることによって形成される、請求項１〜１８のいずれか記載の配置構成。
【請求項２０】  生物学的若しくは生化学的又は合成的な認識要素が、「インクジェットスポッティング」、ピン、ペン若しくは毛管による機械的スポッティング、「マイクロコンタクトプリント」、平行又は交差マイクロチャネルに供給することにより、圧力差又は電気若しくは電磁ポテンシャルへの暴露により、計測区域を生物学的若しくは生化学的又は合成的な認識要素と流体接触させることを含む方法の群からの一つ以上の方法によってベースプレート（４）に被着されている、請求項１９記載の配置構成。
【請求項２１】  前記生物学的若しくは生化学的又は合成的な認識要素として、核酸（ＤＮＡ、ＲＮＡ）又は核酸類似体（たとえば、ペプチド核酸ＰＮＡ）、抗体、アプタマー、膜結合するか、単離された受容体、それらの配位子、抗体に対する抗原、分子インプリントをホストするための化学合成によって生成されたキャビティ及び「ヒスチジンタグ成分」によって形成される群からの成分が被着されている、請求項１９記載の配置構成。
【請求項２２】  前記生物学的若しくは生化学的又は合成的な認識要素として、完全な細胞又は細胞断片が被着されている、請求項１９記載の配置構成。
【請求項２３】  二つ以上の別個の計測区域（ｄ）の配列がベースプレート（４）と前記ベースプレートと組み合わされるボディ（６）との間の凹み（３）の領域に配設され、この計測区域の中に、同種又は異種の生物学的若しくは生化学的又は合成的な認識要素が固定化されている、請求項１〜２２のいずれか記載の配置構成。
【請求項２４】  分析対象物に対して「化学的に中性」である化合物が別個の計測区域（ｄ）の間に被着されている、請求項１９〜２３のいずれか記載の配置構成。
【請求項２５】  前記「化学的に中性」の化合物が、たとえばアルブミン、特にウシ及びヒト血清アルブミン、ニシン精子又はポリエチレングリコールを含む群から選択される、請求項２４記載の配置構成。
【請求項２６】  生物学的若しくは生化学的又は合成的な認識要素が上に固定化されたベースプレートが、光学的、電気的、電気化学的若しくは熱的パラメータの変化の測定又は放射線の測定のために働くことができる、請求項１〜２５のいずれか記載の配置構成。
【請求項２７】  生物学的若しくは生化学的又は合成的な認識要素が上に固定化されたベースプレート（４）が、光学的パラメータの変化の測定のために働くことができ、前記ベースプレートが可視又は近赤外スペクトル領域の波長の少なくとも一つの領域で透明である、請求項２６記載の配置構成。
【請求項２８】  ベースプレート（４）が、可視又は近赤外スペクトル領域の波長の少なくとも一つの領域で透明である、ガラス又は熱可塑性若しくは金型成形性プラスチックの支持体を含む、請求項１〜２７のいずれか記載の配置構成。
【請求項２９】  ベースプレート（４）が、連続的であるか、別個の区域に分割された光導波路を含む、請求項１〜２８のいずれか記載の配置構成。
【請求項３０】  光導波路が、凹み（３）に面する第一の光学的に透明な層（ａ）を有し、該層（ａ）がそれよりも低い屈折率の第二の光学的に透明な層（ｂ）上にある光膜導波路である、請求項２９記載の配置構成。
【請求項３１】  第二の光学的に透明な層（ｂ）の材料が、ケイ酸塩、たとえばガラス若しくは石英又は好ましくはポリカーボネート、ポリイミド若しくはポリメチルメタクリレート若しくはポリスチレンを含む群の透明な熱可塑性又は金型成形性プラスチックを含む、請求項３０記載の配置構成。
【請求項３２】  第一の光学的に透明な層（ａ）の屈折率が１．８よりも高い、請求項３０又は３１記載の配置構成。
【請求項３３】  第一の光学的に透明な層（ａ）が、ＴｉＯ2、ＺｎＯ、Ｎｂ2Ｏ5、Ｔａ2Ｏ5、ＨｆＯ2又はＺｒＯ2、好ましくはＴｉＯ2、Ｔａ2Ｏ5又はＮｂ2Ｏ5を含む、請求項３０〜３２のいずれか記載の配置構成。
【請求項３４】  第一の光学的に透明な層（ａ）の厚さが４０〜３００nm、好ましくは１００〜２００nmである、請求項３０〜３３のいずれか記載の配置構成。
【請求項３５】  層（ａ）よりも低い屈折率を有し、層（ａ）に接する、厚さ５nm〜１００００nm、好ましくは１０nm〜１０００nmのさらなる光学的に透明な層（ｂ′）が光学的に透明な層（ａ）及び（ｂ）の間に位置する、請求項３０〜３３のいずれか記載の配置構成。
【請求項３６】  光学的に透明な層（ａ）に入って計測区域（ｄ）に達する励起光の内部結合が、プリズムカプラ、エバネッセントフィールド同士が重なり合う結合された光導波路を含むエバネッセントカプラ、導波層の前面（遠位端）の前に配設された合焦レンズを有する前面（遠位端）カプラ及び格子カプラを含む群からの一つ以上の光学的内部結合要素を使用して実施される、請求項３０〜３５のいずれか記載の配置構成。
【請求項３７】  光学的に透明な層（ａ）に入って計測区域（ｄ）に達する励起光の内部結合が、光学的に透明な層（ａ）に形成される一つ以上の格子構造（ｃ）を使用して実施される、請求項３０〜３５のいずれか記載の配置構成。
【請求項３８】  光学的に透明な層（ａ）の中で誘導される光の外部結合が、光学的に透明な層（ａ）に形成される格子構造（ｃ′）を使用して実施される、請求項３０〜３７のいずれか記載の配置構成。
【請求項３９】  光学的に透明な層（ａ）に形成される格子構造（ｃ）及び（ｃ′）が、同じ又は異なる周期数を有し、互いに対して平行又は非平行に配設されている、請求項３７及び請求項３８記載の配置構成。
【請求項４０】  格子構造（ｃ）及び（ｃ′）が、内部結合格子及び／又は外部結合格子として交換可能に使用することができる、請求項３９記載の配置構成。
【請求項４１】  格子構造（ｃ）及び場合によりさらなる格子構造（ｃ′）が２００nm〜１０００nmの周期及び３nm〜１００nm、好ましくは１０nm〜３０nmの格子変調深さを有する、請求項３７〜４０のいずれか記載の配置構成。
【請求項４２】  第一の光学的に透明な層（ａ）の厚さに対する変調深さの比が０．２以下である、請求項４１記載の配置構成。
【請求項４３】  格子構造（ｃ）が、矩形、三角形又は半円形の断面のような断面を有するレリーフ格子、又は本質的に平面的な光学的に透明な層（ａ）で屈折率の周期的変調を有する位相又は容積格子である、請求項３７〜４２のいずれか記載の配置構成。
【請求項４４】  場合により、層（ａ）よりも低い屈折率の、たとえばシリカ又はフッ化マグネシウムのさらなる誘電層の上の、好ましくは金又は銀の薄い金属層が、光学的に透明な層（ａ）と固定化された生物学的若しくは生化学的又は合成的な認識要素との間に被着されており、金属層及び場合によりさらなる中間層の厚さが、励起波長及び／又はルミネセンス波長で表面プラズモンを励起できるような方法で選択される、請求項３０〜４３のいずれか記載の配置構成。
【請求項４５】  格子構造（ｃ）が均一な周期の回折格子である、請求項３７〜４４のいずれか記載の配置構成。
【請求項４６】  格子構造（ｃ）が多回折格子である、請求項３７〜４４のいずれか記載の配置構成。
【請求項４７】  格子構造（ｃ）及び場合によりさらなる格子構造（ｃ′）が、試料区画の領域内に設けられている、請求項３７〜４６のいずれか記載の配置構成。
【請求項４８】  格子構造（ｃ）及び場合によりさらなる格子構造（ｃ′）が、試料区画の領域の外に設けられている、請求項３７〜４６のいずれか記載の配置構成。
【請求項４９】  格子構造（ｃ）及び場合によりさらなる格子構造（ｃ′）が、多数又はすべての試料区画の範囲に延びる、請求項３７〜４６のいずれか記載の配置構成。
【請求項５０】  格子構造（ｃ）が、試料区画の領域内に設けられ、場合によりさらなる格子構造（ｃ′）が、励起光の内部結合が実施される試料区画の外に設けられている、請求項３７〜４６のいずれか記載の配置構成。
【請求項５１】  ベースプレート（４）と組み合わされるボディ（６）の材料が、ベースプレート上のインカンバントな表面区域（ｇ）で、励起放射線及び場合により一つ以上の励起されるルミネセンス放射線の両方に対して、少なくともエバネッセントフィールドの浸透深さ内で光学的に透明である、請求項１〜５０のいずれか記載の配置構成。
【請求項５２】  ベースプレート（４）と組み合わされるボディ（６）の材料が、ベースプレートの表面と接触させられる、励起放射線及び場合により一つ以上の励起されるルミネセンス放射線の両方に対して透明である第一の層（ｇ）と、ベースプレート（４）からより離れて設けられている、励起放射線及び場合により励起されるルミネセンス放射線のスペクトル範囲で吸収性である隣接層との二層系の形態で設けられている、請求項５１記載の配置構成。
【請求項５３】  ベースプレートと接触する層の材料が、励起放射線及び場合により励起されるルミネセンス放射線のスペクトル範囲で吸収性である、請求項４７又は請求項４９記載の配置構成。
【請求項５４】  ベースプレート（４）と接触する層（６）の材料が自己接着性であり、密封性である、請求項１〜５３のいずれか記載の配置構成。
【請求項５５】  ベースプレート（４）と接触する層（６）の材料がポリシロキサンを含む、請求項１〜５４のいずれか記載の配置構成。
【請求項５６】  一つの試料区画中に５〜１０００、好ましくは１０〜４００の計測区域が設けられている、請求項１〜５５のいずれか記載の配置構成。
【請求項５７】  光学系の調節を容易にする及び／又は試料区画のための凹みを構成するベースプレート（４）とボディ（６）との組み合わせを容易にするため、光学的又は機械的に認識可能なマークがベースプレート（４）上に設けられている、請求項１〜５６のいずれか記載の配置構成。
【請求項５８】  請求項１〜５７のいずれか記載の配置構成と、
前記配置構成の試料区画に対する試料又は試薬の場所指定供給のための手段と、
１種以上の分析対象物の存在によるパラメータ（計測量）の変化の検出のための少なくとも一つの検出器と、を含み、
前記パラメータ（計測量）が、好ましくは、光学的、電気的、電気化学的若しくは熱的パラメータ（計測量）又は放射線からの信号である、１種以上の分析対象物を測定するための分析システム。
【請求項５９】  請求項１〜５７のいずれか記載の配置構成と、
前記配置構成の試料区画に対する試料又は試薬の場所指定供給のための手段と、
少なくとも一つの励起光源と、
ベースプレート上の少なくとも一つ以上の計測区域（ｄ）から出る光の検出のための少なくとも一つの検出器と、
を含む、１種以上のルミネセンスを測定するための分析システム。
【請求項６０】  請求項１〜５７のいずれか記載の配置構成と、
前記配置構成の試料区画に対する試料又は試薬の場所指定供給のための手段と、
少なくとも一つの励起光源と、
１種以上の分析対象物の近くでの屈折率及び／又は１種以上のルミネセンスの変化であることが好ましい光学的パラメータ（計測量）の変化の検出のための少なくとも一つの検出器と、
を含む、１種以上の分析対象物を測定するための分析システム。
【請求項６１】  計測区域（ｄ）への励起光の投射が表面又は透過照射構造で実施される、請求項５９〜６０のいずれか記載の分析システム。
【請求項６２】  計測区域（ｄ）への励起光の投射と、計測区域（ｄ）からの計測光の検出とがベースプレートの反対側で実施される、請求項５９〜６１のいずれか記載の分析システム。
【請求項６３】  計測区域（ｄ）への励起光の投射と、計測区域（ｄ）からの計測光の検出とがベースプレートの同じ側で実施される、請求項５９〜６１のいずれか記載の分析システム。
【請求項６４】  計測区域（ｄ）への励起光の投射と、計測区域（ｄ）からの計測光の検出とが共焦点配置構成で実施される、請求項５９〜６３のいずれか記載の分析システム。
【請求項６５】  一つの（共通の）波長の励起光線が、前記励起波長の励起光を光学結合要素によって光学的に透明な層（ａ）に内部結合するための共鳴角によって画定される共通面に位置する、請求項３０〜５７のいずれか記載の配置構成を備えた請求項５９〜６３のいずれか記載の分析システム。
【請求項６６】  好ましくは、ＣＣＤカメラ、ＣＣＤチップ、フォトダイオードアレイ、アバランシェダイオードアレイ、マルチチャネルプレート及びマルチチャネル光電子増倍管によって形成される群から選択される少なくとも一つの横方向に分解する検出器が信号検出に使用される、請求項５８〜６５のいずれか記載の分析システム。
【請求項６７】  伝送された光束を成形するためのレンズ若しくはレンズ系、光束を偏向させ、場合によりさらに成形するための平面若しくは湾曲ミラー、光束を偏向させ、場合によりスペクトル分離するためのプリズム、光束の部分をスペクトル選択的に偏向させるためのダイクロイックミラー、伝送される光の強さを調整するためのニュートラルフィルタ、光束の部分をスペクトル選択的に透過させるための光学フィルタ若しくはモノクロメータ、又は励起若しくはルミネセンス光の別々の偏光方向を選択するための偏光選択要素を含む群の光学部品が、一つ以上の励起光源とベースプレート（４）との間に、請求項１〜５７のいずれか記載の配置構成の一部として設けられている及び／又は前記ベースプレートと一つ以上の検出器との間に設けられている、請求項５９〜６６のいずれか記載の分析システム。
【請求項６８】  励起光が１fs〜１０分の間隔のパルスで投射される、請求項５９〜６７のいずれか記載の分析システム。
【請求項６９】  計測区域からの発光が時間分解的に計測される、請求項５９〜６８のいずれか記載の分析システム。
【請求項７０】  利用しうる励起光を参照するため、光源の位置での励起光、拡大後の励起光若しくは個々のビームに分割された後の励起光、又は一つ以上の別個の計測区域の位置からの励起波長の散乱光、及び格子構造（ｃ）若しくは（ｃ′）によって外部結合された励起波長の光を含む群の光信号を計測する、請求項５９〜６９のいずれか記載の分析システム。
【請求項７１】  発光の測定のための計測区域と参照信号の測定のための計測区域とが同一である、請求項７０記載の分析システム。
【請求項７２】  励起光の投射及び一つ以上の計測区域からの発光の検出が一つ以上の試料区画で順次に実施される、請求項５９〜７１のいずれか記載の分析システム。
【請求項７３】  順次に実施される励起及び検出が、ミラー、偏向プリズム及びダイクロイックミラーからなる群の可動光学部品を使用して実施される、請求項７２記載の分析システム。
【請求項７４】  順次に実施される励起及び検出が、本質的に焦点及び角度保存的なスキャナを使用して実施される、請求項７３記載の分析システム。
【請求項７５】  請求項１〜５７のいずれか記載の配置構成が、順次に実施される励起及び検出のステップの間で動かされる、請求項７２〜７４のいずれか記載の分析システム。
【請求項７６】  ベースプレート（４）と、前記ベースプレート（４）と組み合わされるボディ（６）とを、それぞれ少なくとも一つの入口（１）及び一つの出口（２）を有するフローセルの配列を形成するための（空間的）凹み（３）の配列が前記ベースプレート（４）と前記ボディ（６）との間に形成されるような形式で含む、そこで一次元又は二次元に配列された試料区画の配置構成を製造する方法であって、
そこで各フローセルの少なくとも一つの出口を、前記フローセルと流体接続された、フローセルを流出する液体を受けるように働くことができ、ベースプレートと組み合わされるボディの外壁の凹みとして形成される、液溜め（５）と結合させ、前記ベースプレート（４）と前記ボディ（６）とを、前記（空間的）凹みの異なるもの同士が互いに対して流体シールされるような方法で組み合わせる請求項１〜５７のいずれか記載の方法。
【請求項７７】  ベースプレート（４）及びそのベースプレートと組み合わされる前記ボディ（６）を不可逆的に結合させる、請求項７６記載の方法。
【請求項７８】  ベースプレート（４）及びベースプレートと組み合わされる前記ボディ（６）を接着する、請求項７７記載の方法。
【請求項７９】  ベースプレート（４）及びそのベースプレートと組み合わされる前記ボディ（６）を可逆的に結合させる、請求項７６記載の方法。
【請求項８０】  試料及び場合によりさらなる試薬溶液を試料区画に供給し、これらの液体が、前記試料区画の一部としての、フローセルと流体接続された液溜め（５）に流れ出ることができる、請求項１〜５７のいずれか記載の配置構成及び請求項５８〜７５のいずれか記載の分析システムによって１種以上の液体試料中の１種以上の分析対象物を測定する方法。
【請求項８１】  １種以上の分析対象物の測定のための生物学的若しくは生化学的又は合成的な認識要素を前記配置構成のベースプレート（４）に固定化し、励起光を前記ベースプレート（４）上の計測区域に向け、前記計測区域から出る光を少なくとも一つの検出器によって検出する、請求項８０記載の方法。
【請求項８２】  ベースプレート（４）が、連続的であるか、別個の区域に分割された光導波路を含み、光学結合要素を使用して励起光を前記導波路に投射し、前記光導波路と光学的に相互作用する計測区域（ｄ）からの計測光を一つ以上の検出器によって検出する、請求項８１記載の方法。
【請求項８３】  前記光導波路を、第一の光学的に透明な層（ａ）を有し、該層（ａ）がそれよりも低い屈折率の第二の光学的に透明な層（ｂ）上にある光膜導波路として設け、さらに、励起光を、光学的に透明な層（ａ）の中に形成された一つ以上の格子構造によって光学的に透明な層（ａ）に内部結合し、誘導波として、その上に設けられている計測区域（ｄ）まで送り、さらに、発光することができる分子からの、前記誘導波のエバネッセントフィールドで発生したルミネセンスを一つ以上の検出器によって検出し、１種以上の分析対象物の濃度をこのルミネセンス信号の強さから測定する、請求項８２記載の方法。
【請求項８４】  請求項３７〜５７のいずれか記載の配置構成によって、（第１に）等方向に発されたルミネセンス又は（第２に）光学的に透明な層（ａ）に内部結合され、格子構造（ｃ）によって外部結合されるルミネセンス又は両部分（第１及び第２に）を含むルミネセンスを同時に計測する、請求項８３記載の方法。
【請求項８５】  前記ルミネセンスの生成のため、励起されることができ、３００nm〜１１００nmの波長で発光する発光染料又は発光性ナノ粒子をルミネセンス標識として使用する、請求項８３〜８４のいずれか記載の方法。
【請求項８６】  ルミネセンス標識を、分析対象物に結合させるか、競合検定では、分析対象物類似体に結合させるか、多工程検定では、固定化された生物学的若しくは生化学的又は合成的な認識要素の結合相手の一つ又は生物学的若しくは生化学的又は合成的な認識要素に結合させる、請求項８５記載の方法。
【請求項８７】  第一のルミネセンス標識と同様な又は異なる励起波長の第二又はそれ以上のルミネセンス標識及び同様な又は異なる発光波長を使用する、請求項８５〜８６のいずれか記載の方法。
【請求項８８】  第二又はそれ以上のルミネセンス標識が、第一のルミネセンス標識と同じ波長で励起されることができるが、他の波長で発光することができる、請求項８７記載の方法。
【請求項８９】  加えられる発光染料の励起スペクトルと発光スペクトルとが重なり合わないか、部分的にしか重なり合わない、請求項８７記載の方法。
【請求項９０】  供与体として働く第一の発光染料から受容体として働く第二の発光染料への電荷又は光エネルギーの移動を分析対象物の検出に使用する、請求項８７記載の方法。
【請求項９１】  １種以上のルミネセンスの測定の他に、計測区域における有効屈折率の変化を測定する、請求項８３〜９０のいずれか記載の方法。
【請求項９２】  ルミネセンスの一つ以上の測定及び／又は励起波長における光信号の測定を偏光選択的に実施する、請求項８３〜９１のいずれか記載の方法。
【請求項９３】  １種以上のルミネセンスを、励起光の偏光とは異なる偏光で計測する、請求項８３〜９２のいずれか記載の方法。
【請求項９４】  抗体又は抗原、受容体又は配位子、キレート化剤又は「ヒスチジンタグ成分」、オリゴヌクレオチド、ＤＮＡ又はＲＮＡストランド、ＤＮＡ又はＲＮＡ類似体、酵素、酵素補因子又は阻害薬、レクチン及び炭水化物を含む群の１種以上の分析対象物の同時又は順次に実施される定量又は定性のための、請求項８３〜９３のいずれか記載の方法。
【請求項９５】  試験される試料が、天然の体液、たとえば血液、血清、血漿、リンパ液又は尿又は組織液又は卵黄である、請求項８３〜９４のいずれか記載の方法。
【請求項９６】  試験される試料が、光学的に濁った液体又は表面水又は土壌又は植物抽出物又はバイオ若しくはプロセスブロスである、請求項８３〜９４のいずれか記載の方法。
【請求項９７】  試験される試料が生物学的組織から採取する、請求項８３〜９６のいずれか記載の方法。
【請求項９８】  薬学的研究、コンビナトリアルケミストリー、臨床及び臨床前開発におけるスクリーニング法での化学的、生化学的又は生物学的分析対象物の定量及び定性、アフィニティースクリーニング及び研究における運動パラメータのリアルタイム結合研究及び測定、特にＤＮＡ及びＲＮＡ分析のための分析対象物の定性及び定量、ならびにゲノム又はプロテオム差、たとえば単一ヌクレオチド多形の、ゲノムにおける測定、タンパク質−ＤＮＡ相互作用の計測、ｍＲＮＡ発現及びタンパク質（生）合成の制御機構の測定、毒性発生研究及び発現プロフィールの決定、特に生物学的及び化学的マーカ化合物、たとえばｍＲＮＡ、タンパク質、ペプチド又は小分子有機（メッセンジャ）化合物の測定ならびに医薬品研究開発、ヒト及び動物の診断、農薬製品研究開発における抗体、抗原、病原体又はバクテリアの決定、症候性及び前症候性植物診断、医薬品開発及び治療薬選択における患者層別化、食品及び環境分析における病原体、有害薬剤及び細菌、特にサルモネラ、プリオン及びバクテリアの決定のための、請求項１〜５７のいずれか記載の配置構成の使用。